(57)【要約】【課題】  シャッター操作に基づいて出力される効果音の選択の自由度を大きくする。【解決手段】  シャッター音やフォーカスロック音，セルフタイマー音などのシャッターボタンの操作に伴う効果音を着脱可能なメモリーカードなどの記憶媒体からデジタルカメラのフラッシュメモリにコピーして選択できるようにする。セルフタイマー撮影時にはタイマー時間Ｔｔｍと効果音の出力時間Ｔｅｆと効果音を出力した後に撮影を実行するまでの所定時間Ｔｓｈとに基づいて開始時間Ｔｓｔを設定し（Ｓ４３０，Ｓ４５０）、シャッターボタン２４が操作されたときには、開始時間Ｔｓｔを経過するのを待って（Ｓ４７０）、効果音を出力し（Ｓ４８０）、効果音を出力した後に所定時間Ｔｓｈだけ経過するのを待って（Ｓ４９０）、撮影を実行する。この結果、所望の効果音をシャッター音やフォーカスロック音，セルフタイマー音として設定することができる。【選択図】        図１１
2005086508.tif 000002
【特許請求の範囲】
【請求項１】
画像を撮影する撮影装置であって、
画像の撮影を実行する撮影実行手段と、
音声を出力可能な音声出力手段と、
複数の効果音情報を記憶する効果音情報記憶手段と、
該効果音情報記憶手段に記憶された複数の効果音情報のうちシャッター操作に基づいて効果音として出力すべき効果音情報を設定する効果音情報設定手段と、
シャッター操作がなされたとき、前記効果音情報設定手段により設定された効果音情報に基づく効果音が出力されるよう前記音声出力手段を制御すると共に該音声出力手段による効果音の出力が終了してから所定時間経過したときに撮影が実行されるよう前記撮影実行手段を制御する撮影制御手段と、
を備える撮影装置。
【請求項２】
請求項１記載の撮影装置であって、
操作者の操作に基づいてシャッター操作がなされたときには設定時間が経過したときに撮影が実行されるようにタイマーを設定するタイマー設定手段を備え、
前記撮影制御手段は、前記設定された効果音情報に基づいて該効果音情報に基づく効果音の出力に必要な効果音時間を演算する効果音時間演算手段を備え、前記タイマー設定手段によりタイマーが設定されたときには、前記シャッター操作がなされてから前記設定時間から前記演算した効果音時間と前記所定時間とを減じた時間が経過したときに前記設定された効果音情報に基づく効果音が出力されるよう前記音声出力手段を制御する手段である
撮影装置。
【請求項３】
前記撮影制御手段は、前記演算した効果音時間と前記所定時間との和の時間が前記設定時間より長いときには、該設定時間に拘わらず、シャッター操作がなされたときに前記設定された効果音情報に基づく効果音が出力されるよう前記音声出力手段を制御し、該音声出力手段による効果音の出力が終了してから前記所定時間経過したときに撮影が実行されるよう前記撮影実行手段を制御する手段である請求項２記載の撮影装置。
【請求項４】
請求項１記載の撮影装置であって、
操作者の操作に基づいてシャッター操作がなされたときには設定時間が経過したときに撮影が実行されるようにタイマーを設定するタイマー設定手段と、
前記設定された効果音情報に基づく効果音の出力に必要な効果音時間を演算すると共に該演算した効果音時間と前記設定時間とに基づいて無声音と該効果音情報に基づく効果音との順による前記設定時間から前記所定時間を減じた時間の調整効果音に対応する調整効果音情報を作成する調整効果音情報作成手段と、
を備え、
前記撮影制御手段は、前記タイマー設定手段によりタイマーが設定されたときには、前記作成された調整効果音情報を前記設定された効果音情報として用いて前記音声出力手段を制御する手段である
撮影装置。
【請求項５】
前記調整効果音情報作成手段は、前記演算した効果音時間と前記所定時間との和の時間が前記設定時間より長いときには、該設定時間に拘わらず、前記設定された効果音情報を前記調整効果音情報として作成する手段である請求項４記載の撮影装置。
【請求項６】
前記タイマー設定手段は、操作者の操作に基づいて前記設定時間を変更可能な手段である請求項２ないし５いずれか記載の撮影装置。
【請求項７】
前記効果音情報記憶手段は、着脱可能に装着されてなる手段である請求項１ないし６いずれか記載の撮影装置。
【請求項８】
前記効果音情報記憶手段は、撮影された画像の画像ファイルを記憶可能な手段である請求項７記載の撮影装置。
【請求項９】
前記効果音情報設定手段は、前記効果音情報記憶手段に記憶された複数の効果音情報のうち選択された効果音情報に基づく効果音の前記音声出力手段による出力を伴って前記効果音として出力すべき効果音情報を設定する手段である請求項１ないし８いずれか記載の撮影装置。
【請求項１０】
前記撮影装置はデジタルカメラである請求項１ないし９いずれか記載の撮影装置。
【請求項１１】
画像を撮影を実行する撮影実行手段と、音声を出力可能な音声出力手段と、複数の効果音情報を記憶する効果音情報記憶手段と、を備える撮影装置の処理方法であって、
（ａ）前記効果音情報記憶手段に記憶された複数の効果音情報のうちシャッター操作に基づいて効果音として出力すべき効果音情報を設定する処理と、
（ｂ）シャッター操作がなされたときに、前記設定された効果音情報に基づく効果音が出力されるよう前記音声出力手段を制御すると共に該音声出力手段による効果音の出力が終了してから所定時間経過したときに撮影が実行されるよう前記撮影実行手段を制御する処理と、
とを備える撮影装置の処理方法。
【請求項１２】
請求項１１記載の撮影装置の処理方法であって、
（ｃ）操作者の操作に基づいてシャッター操作がなされたときには設定時間経過したときに撮影が実行されるようにタイマーを設定する処理を備え、
前記処理（ｂ）は、前記処理（ｃ）によりタイマーが設定されたときには、前記設定された効果音情報に基づいて該効果音情報に基づく効果音の出力に必要な効果音時間を演算し、前記シャッター操作がなされてから前記設定時間から前記演算した効果音時間と前記所定時間とを減じた時間が経過したときに前記設定された効果音情報に基づく効果音が出力されるよう前記音声出力手段を制御する処理である
撮影装置の処理方法。
【請求項１３】
請求項１１記載の撮影装置の処理方法であって、
（ｃ）操作者の操作に基づいてシャッター操作がなされたときには設定時間を経過したときに撮影が実行されるようにタイマーを設定する処理と、
（ｄ）前記設定時間と前記設定された効果音情報とに基づいて無声音の出力と該効果音情報に基づく効果音の出力とによる前記設定時間から前記所定時間を減じた効果音を行なう調整効果音情報を作成する処理と、
を備え、
前記処理（ｂ）は、前記処理（ｃ）によりタイマーが設定されたときには、前記処理（ｄ）により作成された調整効果音情報を前記設定された効果音情報として用いて前記音声出力手段を制御する処理である
撮影装置の処理方法。
【請求項１４】
画像の撮影を実行する撮影実行手段と、音声を出力可能な音声出力手段と、複数の効果音情報を記憶する効果音情報記憶手段と、を備える撮影装置に用いられるプログラムであって、
（ａ）前記効果音情報記憶手段に記憶された複数の効果音情報のうちシャッター操作に基づいて効果音として出力すべき効果音情報を設定するモジュールと、
（ｂ）シャッター操作がなされたときには、前記設定された効果音情報に基づく効果音が出力されるよう前記音声出力手段を制御すると共に該音声出力手段による効果音の出力が終了してから所定時間経過したときに撮影が実行されるよう前記撮影実行手段を制御するモジュールと、
を備えるプログラム。
【請求項１５】
請求項１４記載の撮影装置用のプログラムであって、
（ｃ）操作者の操作に基づいてシャッター操作がなされたときには設定時間が経過したときに撮影が実行されるようにタイマーを設定するモジュールを備え、
前記モジュール（ｂ）は、前記モジュール（ｃ）によりタイマーが設定されたときには、前記設定された効果音情報に基づいて該効果音情報に基づく効果音の出力に必要な効果音時間を演算し、前記シャッター操作がなされてから前記設定時間から前記演算した効果音時間と前記所定時間とを減じた時間が経過したときに前記設定された効果音情報に基づく効果音が出力されるよう前記音声出力手段を制御するモジュールである
プログラム。
【請求項１６】
請求項１４記載の撮影装置用のプログラムであって、
（ｃ）操作者の操作に基づいてシャッター操作がなされたときには設定時間が経過したときに撮影が実行されるようにタイマーを設定するモジュールと、
（ｄ）前記設定時間と前記設定された効果音情報とに基づいて無声音の出力と該効果音情報に基づく効果音の出力とによる前記設定時間から前記所定時間を減じた効果音を行なう調整効果音情報を作成するモジュールと、
を備え、
前記モジュール（ｂ）は、前記モジュール（ｃ）によりタイマーが設定されたときには、前記モジュール（ｄ）により作成された調整効果音情報を前記設定された効果音情報として用いて前記音声出力手段を制御するモジュールである
プログラム。
【発明の詳細な説明】
【技術分野】
【０００１】
本発明は、撮影装置およびその処理方法並びに撮影装置用のプログラムに関する。
【背景技術】
【０００２】
従来、この種の撮影装置としては、複数のシャッター音から所望のシャッター音を選択して設定しておくことにより、シャッター操作時に所望のシャッター音を出力させることができるデジタルカメラが提案されている（例えば、特許文献１参照）。このデジタルカメラでは、マイクから録音して内部のフラッシュメモリに記憶したシャッター音やデジタルカメラに装着可能なメモリカードなど外部で調製されて記憶されたシャッター音，通信回線を介して配信され内部のフラッシュメモリに記憶したシャッター音など種々の手法により記憶されたシャッター音から所望のシャッター音を選択することができるようになっている。
【特許文献１】特開２００１−６９３８９号公報（第４〜６頁）
【発明の開示】
【発明が解決しようとする課題】
【０００３】
しかしながら、こうした撮影装置では、用いられるシャッター音によっては、どのタイミングで撮影が行なわれるのかが分からない場合が生じる。シャッター音として一眼レフカメラにおける機械的な音（例えば「カシャ」などの短時間の擬音）を用いる通常の場合では、シャッター操作に応じてシャッター音が出力され、シャッター音のいずれかのタイミングで撮影が行なわれる。このため、シャッター音としては短時間のものとする必要があり、効果音の選択の自由度が小さなものとなっている。
【０００４】
本発明の撮影装置およびその処理方法並びに撮影装置用のプログラムは、シャッター操作に基づいて出力される効果音の選択の自由度を大きくすることを目的の一つとする。また、本発明の撮影装置およびその処理方法並びに撮影装置用のプログラムは、シャッター操作に基づいて出力される効果音として長さや調子が異なる効果音を自由に選択してもより適切なタイミングで撮影が行なわれるようにすることを目的の一つとする。
【課題を解決するための手段】
【０００５】
本発明の撮影装置およびその処理方法並びに撮影装置用のプログラムは、上述の目的の少なくとも一部を達成するために以下の手段を採った。
【０００６】
本発明の撮影装置は、
画像を撮影する撮影装置であって、
画像の撮影を実行する撮影実行手段と、
音声を出力可能な音声出力手段と、
複数の効果音情報を記憶する効果音情報記憶手段と、
該効果音情報記憶手段に記憶された複数の効果音情報のうちシャッター操作に基づいて効果音として出力すべき効果音情報を設定する効果音情報設定手段と、
シャッター操作がなされたとき、前記効果音情報設定手段により設定された効果音情報に基づく効果音が出力されるよう前記音声出力手段を制御すると共に該音声出力手段による効果音の出力が終了してから所定時間経過したときに撮影が実行されるよう前記撮影実行手段を制御する撮影制御手段と、
を備えることを要旨とする。
【０００７】
この本発明の撮影装置では、シャッター操作がなされたときには、効果音情報記憶手段に記憶された複数の効果音情報のうちシャッター操作に基づいて出力すべき効果音として設定された効果音情報に基づく効果音が出力されるよう音声出力手段を制御すると共にこの音声出力手段による効果音の出力が終了してから所定時間経過したときに撮影が実行されるよう撮影実行手段を制御する。即ち、選択された効果音情報に基づく効果音の長さに拘わらず、効果音が終了してから所定時間経過したときに撮影を実行するから、効果音の選択の自由度を大きくすることができると共により適切なタイミングで撮影を実行することができる。ここで、撮影装置としてはデジタルカメラが含まれる。
【０００８】
こうした本発明の撮影装置において、操作者の操作に基づいてシャッター操作がなされたときには設定時間が経過したときに撮影が実行されるようにタイマーを設定するタイマー設定手段を備え、前記撮影制御手段は、前記設定された効果音情報に基づいて該効果音情報に基づく効果音の出力に必要な効果音時間を演算する効果音時間演算手段を備え、前記タイマー設定手段によりタイマーが設定されたときには、前記シャッター操作がなされてから前記設定時間から前記演算した効果音時間と前記所定時間とを減じた時間が経過したときに前記設定された効果音情報に基づく効果音が出力されるよう前記音声出力手段を制御する手段であるものとすることもできる。こうすれば、タイマー設定を行なって撮影する際の撮影のタイミングを効果音により知ることができる。しかも、長さの異なる効果音を選択しても撮影のタイミングを適切なものとすることができる。この態様の本発明の撮影装置において、前記撮影制御手段は、前記演算した効果音時間と前記所定時間との和の時間が前記設定時間より長いときには、該設定時間に拘わらず、シャッター操作がなされたときに前記設定された効果音情報に基づく効果音が出力されるよう前記音声出力手段を制御し、該音声出力手段による効果音の出力が終了してから前記所定時間経過したときに撮影が実行されるよう前記撮影実行手段を制御する手段であるものとすることもできる。こうすれば、タイマー設定の際の効果音の選択の自由度を更に高くすることができる。
【０００９】
また、本発明の撮影装置において、操作者の操作に基づいてシャッター操作がなされたときには設定時間が経過したときに撮影が実行されるようにタイマーを設定するタイマー設定手段と、前記設定時間と前記設定された効果音情報とに基づいて無声音の出力と該効果音情報に基づく効果音の出力とによる前記設定時間から前記所定時間を減じた効果音を行なう調整効果音情報を作成する調整効果音情報作成手段と、を備え、前記撮影制御手段は、前記タイマー設定手段によりタイマーが設定されたときには、前記作成された調整効果音情報を前記設定された効果音情報として用いて前記音声出力手段を制御する手段であるものとすることもできる。こうすれば、タイマー設定を行なって撮影する際の撮影のタイミングを効果音により知ることができる。しかも、長さの異なる効果音を選択しても撮影のタイミングを適切なものとすることができる。この態様の本発明の撮影装置において、前記調整効果音情報作成手段は、前記演算した効果音時間と前記所定時間との和の時間が前記設定時間より長いときには、該設定時間に拘わらず、前記設定された効果音情報を前記調整効果音情報として作成する手段であるものとすることもできる。こうすれば、タイマー設定の際の効果音の選択の自由度を更に高くすることができる。
【００１０】
これらタイマー設定を行なうことができる態様の本発明の撮影装置において、前記タイマー設定手段は、操作者の操作に基づいて前記設定時間を変更可能な手段であるものとすることもできる。こうすれば、所望の時間を設定時間としてタイマー設定することができる。
【００１１】
本発明の撮影装置において、前記効果音情報記憶手段は、着脱可能に装着されてなる手段であるものとすることもできるし、撮影された画像の画像ファイルを記憶可能な手段であるものとすることもできる。
【００１２】
本発明の撮影装置において、前記効果音情報設定手段は、前記効果音情報記憶手段に記憶された複数の効果音情報のうち選択された効果音情報に基づく効果音の前記音声出力手段による出力を伴って前記効果音として出力すべき効果音情報を設定する手段であるものとすることもできる。こうすれば、効果音の試聴を伴って効果音情報を設定することができる。
【００１３】
本発明の撮影装置の処理方法は、
画像の撮影を実行する撮影実行手段と、音声を出力可能な音声出力手段と、複数の効果音情報を記憶する効果音情報記憶手段と、を備える撮影装置の処理方法であって、
（ａ）前記効果音情報記憶手段に記憶された複数の効果音情報のうちシャッター操作に基づいて効果音として出力すべき効果音情報を設定する処理と、
（ｂ）シャッター操作がなされたときに、前記設定された効果音情報に基づく効果音が出力されるよう前記音声出力手段を制御すると共に該音声出力手段による効果音の出力が終了してから所定時間経過したときに撮影が実行されるよう前記撮影実行手段を制御する処理と、
とを備えることを要旨とする。
【００１４】
この本発明の撮影装置の処理方法によれば、シャッター操作がなされたときには、効果音情報記憶手段に記憶された複数の効果音情報のうちシャッター操作に基づいて出力すべき効果音として設定された効果音情報に基づく効果音が出力されるよう音声出力手段を制御すると共にこの音声出力手段による効果音の出力が終了してから所定時間経過したときに撮影が実行されるよう撮影実行手段を制御するから、即ち、選択された効果音情報に基づく効果音の長さに拘わらず、効果音が終了してから所定時間経過したときに撮影を実行するから、効果音の選択の自由度を大きくすることができると共により適切なタイミングで撮影を実行することができる。
【００１５】
こうした本発明の撮影装置の処理方法において、（ｃ）操作者の操作に基づいてシャッター操作がなされたときには設定時間経過したときに撮影が実行されるようにタイマーを設定する処理を備え、前記処理（ｂ）は、前記処理（ｃ）によりタイマーが設定されたときには、前記設定された効果音情報に基づいて該効果音情報に基づく効果音の出力に必要な効果音時間を演算し、前記シャッター操作がなされてから前記設定時間から前記演算した効果音時間と前記所定時間とを減じた時間が経過したときに前記設定された効果音情報に基づく効果音が出力されるよう前記音声出力手段を制御する処理であるものとすることもできる。こうすれば、タイマー設定を行なって撮影する際の撮影のタイミングを効果音により知ることができる。しかも、長さの異なる効果音を選択しても撮影のタイミングを適切なものとすることができる。
【００１６】
また、本発明の撮影装置の処理方法において、（ｃ）操作者の操作に基づいてシャッター操作がなされたときには設定時間を経過したときに撮影が実行されるようにタイマーを設定する処理と、（ｄ）前記設定時間と前記設定された効果音情報とに基づいて無声音の出力と該効果音情報に基づく効果音の出力とによる前記設定時間から前記所定時間を減じた効果音を行なう調整効果音情報を作成する処理と、を備え、前記処理（ｂ）は、前記処理（ｃ）によりタイマーが設定されたときには、前記処理（ｄ）により作成された調整効果音情報を前記設定された効果音情報として用いて前記音声出力手段を制御する処理であるものとすることもできる。こうすれば、タイマー設定を行なって撮影する際の撮影のタイミングを効果音により知ることができる。しかも、長さの異なる効果音を選択しても撮影のタイミングを適切なものとすることができる。
【００１７】
本発明の撮影装置用のプログラムは、
画像の撮影を実行する撮影実行手段と、音声を出力可能な音声出力手段と、複数の効果音情報を記憶する効果音情報記憶手段と、を備える撮影装置に用いられるプログラムであって、
（ａ）前記効果音情報記憶手段に記憶された複数の効果音情報のうちシャッター操作に基づいて効果音として出力すべき効果音情報を設定するモジュールと、
（ｂ）シャッター操作がなされたときには、前記設定された効果音情報に基づく効果音が出力されるよう前記音声出力手段を制御すると共に該音声出力手段による効果音の出力が終了してから所定時間経過したときに撮影が実行されるよう前記撮影実行手段を制御するモジュールと、
を備えることを要旨とする。
【００１８】
この本発明の撮影装置用のプログラムによれば、このプログラムを撮影装置にインストールして実行することにより、撮影装置を、シャッター操作がなされたときには、効果音情報記憶手段に記憶された複数の効果音情報のうちシャッター操作に基づいて出力すべき効果音として設定された効果音情報に基づく効果音が出力されるよう音声出力手段を制御すると共にこの音声出力手段による効果音の出力が終了してから所定時間経過したときに撮影が実行されるよう撮影実行手段を制御する装置とすることができる。即ち、撮影装置を、選択された効果音情報に基づく効果音の長さに拘わらず、効果音が終了してから所定時間経過したときに撮影を実行する装置とすることができる。この結果、効果音の選択の自由度を大きくすることができると共により適切なタイミングで撮影を実行することができる。
【００１９】
こうした本発明の撮影装置用のプログラムにおいて、（ｃ）操作者の操作に基づいてシャッター操作がなされたときには設定時間が経過したときに撮影が実行されるようにタイマーを設定するモジュールを備え、前記モジュール（ｂ）は、前記モジュール（ｃ）によりタイマーが設定されたときには、前記設定された効果音情報に基づいて該効果音情報に基づく効果音の出力に必要な効果音時間を演算し、前記シャッター操作がなされてから前記設定時間から前記演算した効果音時間と前記所定時間とを減じた時間が経過したときに前記設定された効果音情報に基づく効果音が出力されるよう前記音声出力手段を制御するモジュールであるものとすることもできる。こうすれば、タイマー設定を行なって撮影する際の撮影のタイミングを効果音により知ることができる。しかも、長さの異なる効果音を選択しても撮影のタイミングを適切なものとすることができる。
【００２０】
また、本発明の撮影装置用のプログラムにおいて、（ｃ）操作者の操作に基づいてシャッター操作がなされたときには設定時間が経過したときに撮影が実行されるようにタイマーを設定するモジュールと、（ｄ）前記設定時間と前記設定された効果音情報とに基づいて無声音の出力と該効果音情報に基づく効果音の出力とによる前記設定時間から前記所定時間を減じた効果音を行なう調整効果音情報を作成するモジュールと、を備え、前記モジュール（ｂ）は、前記モジュール（ｃ）によりタイマーが設定されたときには、前記モジュール（ｄ）により作成された調整効果音情報を前記設定された効果音情報として用いて前記音声出力手段を制御するモジュールであるものとすることもできる。こうすれば、タイマー設定を行なって撮影する際の撮影のタイミングを効果音により知ることができる。しかも、長さの異なる効果音を選択しても撮影のタイミングを適切なものとすることができる。
【発明を実施するための最良の形態】
【００２１】
次に、本発明を実施するための最良の形態を実施例を用いて説明する。
【実施例】
【００２２】
図１は本発明の一実施例としてのデジタルカメラ２０の外観を例示する斜視図であり、図２は実施例のデジタルカメラ２０の背面を例示する背面図であり、図３は実施例のデジタルカメラ２０の機能ブロックを例示するブロック図である。
【００２３】
実施例のデジタルカメラ２０は、図１に示すように、正面には光学３倍ズームが可能なズーム機構付きレンズ２１と、セルフタイマーが作動中であるのを点滅により知らせるタイマランプ２５と、フラッシュ２６とを備え、上部にはモードを選択するモードダイヤル２３と、このモードダイヤル２３の中央に配置された電源ボタン２２と、シャッターボタン２４とを備える。また、デジタルカメラ２０の正面のフラッシュ２６の下の内部にはマイク２７が取り付けられており、上部のモードダイヤル２３の横の内部にはスピーカ２８が取り付けられている。このマイク２７とスピーカ２８の取り付け位置には、音声が通りやすいように複数の貫通孔が設けられている。実施例のデジタルカメラ２０は、図２に示すように、背面３０には、中央の左寄りに配置された液晶ディスプレイ３１と、その右側に配置され上下左右の方向に操作可能な４方向ボタン３２と、背面３０の左上に配置された印刷ボタン３３と、ズーム機能を操作するＷボタン３４ａおよびＴボタン３４ｂと、４方向ボタン３２の左上に配置されたメニューボタン３５と、液晶ディスプレイ３１の下方の左右に配置されたＡボタン３６およびＢボタン３７と、４方向ボタン３２の下方左に配置され液晶ディスプレイ３１への表示を切り替えるディスプレーボタン３８と、その右方向に配置されたレビューボタン３９とを備える。
【００２４】
実施例のデジタルカメラ２０は、機能的には図３に例示するように、中央演算処理装置としてのＣＰＵ４０ａや処理プログラムを記憶するＲＯＭ４０ｂ，一時的にデータを記憶するワークメモリ４０ｃ，設定値などのデータを記憶する不揮発性のフラッシュメモリ４０ｄなどを中心として構成されている。デジタルカメラ２０は、撮影系として、レンズや絞りなどにより構成された光学系４２や、この光学系４２により結像される光学像を光電変換して得られる電荷を受光セル毎に一定時間蓄積し受光セル毎の受光量に応じた電気信号を出力するイメージセンサ４３、このイメージセンサ４３を駆動するために必要な駆動パルスをイメージセンサ４３に出力する駆動回路としてのセンサコントローラ４４、イメージセンサ４３から出力される電気信号を量子化してディジタル信号に変換するアナログフロントエンド（ＡＦＥ）部４５、このＡＦＥ部４５から出力されたディジタル信号に対して画像形成処理，ホワイトバランス補正，γ補正，色空間変換等を施して各画素についてＲ，Ｇ，Ｂの階調値やＹ，Ｃｂ，Ｃｒの階調値などを表すディジタル画像を出力するデジタル画像処理部４６、ディジタル画像の系列変換（離散コサイン変換やウェーブレット変換等）及びエントロピー符号化（ランレングス符号化やハフマン符号化等）を行なうことによりディジタル画像を圧縮しそれらの逆変換を施すことによりディジタル画像を伸張する圧縮伸張部４７などを備える。また、実施例のデジタルカメラ２０は、液晶ディスプレイ３１の一画面分のデータを格納するためのフレームバッファやフレームバッファに格納されたディジタル画像に基づいて液晶ディスプレイ３１を駆動するための表示回路を有するディスプレイコントローラ５０やモードダイヤル２３，各種ボタン２４，３２〜３９，タイマランプ２５，フラッシュ２６，マイク２７，スピーカ２８などの入出力および着脱可能なフラッシュメモリなどの記憶媒体５３への入出力を司る入出力インタフェース５２、ＵＳＢ（Universal Serial Bus）接続端子５５に接続された機器（コンピュータやプリンタ）と通信のやり取りを管理するＵＳＢホストコントローラ５４やＵＳＢデバイスコントローラ５６なども備えている。なお、デジタル画像処理部４６により画像処理された画像データや圧縮伸張部４７により圧縮・伸張された画像データは、一旦ワークメモリ４０ｃに書き込まれ、その後、撮影順にＩＤとしてのファイル名が付与されて画像ファイルとして入出力インタフェース５２を介して記憶媒体５３に書き込まれる。
【００２５】
次に、こうして構成された実施例のデジタルカメラ２０の動作、特にシャッターボタン２４の操作に伴って出力するシャッター音やフォーカスロック音，セルフタイマー音などの効果音の設定の際の動作やシャッターボタン２４の操作時の動作について説明する。図４は、効果音設定処理の一例を示すフローチャートである。この処理は、モードダイヤル２３によりデジタルカメラ２０をセットアップモードとすることによって開始される。この処理では、まず、予めＲＯＭ４０ｂに記憶されたセットアップ画面を液晶ディスプレイ３１に表示して（ステップＳ１００）、設定しようとする項目が選択されるのを待つ処理が実行される（ステップＳ１１０）。液晶ディスプレイ３１にセットアップ画面の一例を表示した際の背面３０の一部を図５に示す。図５の例では、液晶ディスプレイ３１の最上部には「セットアップ」などの処理名が表示され、その下に「初期値に戻す」，「シャッター音」，「フォーカスロック音」，「セルフタイマー音」，「操作音」などの項目が一覧表示される。また、液晶ディスプレイ３１の最下部にはＡボタン３６の機能（「再生」の機能）やＢボタン３７の機能（「設定」の機能）が表示される。また、現在対象となっている項目については反転表示されると共に項目の内容（右側半分の部分）の前後に左向きおよび右向きの三角印が表示される。操作者は、４方向ボタン３２の上下方向により、対象となっている項目（反転表示される項目）を変更することができる。図５には「シャッター音」が対象となっている状態を示した。
【００２６】
このセットアップ画面を表示した状態で、４方向ボタン３２を左右方向に操作すると、対象となっている項目の内容、即ち効果音を変更することができる（ステップＳ１４０）。実施例では、デジタルカメラ２０に記憶できる効果音としては項目（シャッター音，フォーカスロック音，セルフタイマー音）毎に電子音を含めて３個までとしたので、４方向ボタン３２を左右方向に操作することにより、操作する毎に「なし」，「サウンド１」，「サウンド２」，「電子音」がトグルして表示される。また、セットアップ画面を表示した状態でＡボタン３６を操作すると、対象となっている項目の選択されている効果音をスピーカ２８から出力する（ステップＳ１３０）。図５の例では、シャッター音として記憶されている「サウンド１」を再生するのである。さらに、セットアップ画面を表示した状態でＢボタン３７を操作すると、図６に例示する効果音の設定処理が行なわれる。設定処理については後述する。
【００２７】
こうしてセットアップ画面により項目を選択すると共に効果音を選択してモードダイヤル２３を操作すると、選択された項目に対する選択された効果音が設定値としてフラッシュメモリ４０ｄの所定領域に書き込まれることにより効果音を設定し（ステップＳ１６０）、この効果音設定処理を終了する。
【００２８】
図６の設定処理では、まず、予めＲＯＭ４０ｂに記憶しておいた図７に例示する設定画面を表示し（ステップＳ２００）、効果音が選択されるのを待つ処理がなされる（ステップＳ２１０）。液晶ディスプレイ３１に設定画面の一例を表示した際の背面３０の一部を図７に示す。図７の例では、液晶ディスプレイ３１の最上部には表示している内容を記憶している記憶媒体が「カメラ本体」であるか「メモリーカード」であるか、即ちデジタルカメラ２０のフラッシュメモリ４０ｄであるか記憶媒体５３であるかが反転表示により表示され、その下に記憶媒体に記憶されている効果音のファイル名（「ＳＯＵＮＤ０１」や「ＳＯＵＮＤ０２」）が一覧表示される。また、液晶ディスプレイ３１の最下部にはＡボタン３６の機能（「もどる」の機能）やＢボタン３７の機能（機能なし）が表示される。この設定画面が表示された状態で４方向ボタン３２を左右方向に操作すると、操作毎に「カメラ本体」と「メモリーカード」とが交互に反転表示される。また、この状態でＡボタン３６を操作すると、設定処理を終了し、図５に例示したセットアップ画面を表示して図４に例示した効果音設定処理のステップＳ１２０に戻る。
【００２９】
図７に例示した設定画面が表示された状態で４方向ボタン３２を下方向に操作すると、対象となっている効果音のファイル名を反転表示して効果音の選択が可能な操作画面を表示して効果音の選択を待つ処理を行なう（ステップＳ２１０）。この場合、実施例では、図８や図９に例示するように、効果音のファイル名の右側に「ＭＥＮＵボタンで再生」のメッセージを表示すると共に最下部のＡボタン３６の機能（「消去」の機能）やＢボタン３７の機能（「コピー」の機能）を変更する。ここで、図８は記憶媒体として「カメラ本体」が選択されて効果音として「ＳＯＵＮＤ０２」が対象となっている状態を示し、図９は記憶媒体として「メモリーカード」が選択されて効果音として「ＭＣＳＯＵＮＤ０３」が対象となっている状態を示す。記憶媒体として「カメラ本体」が選択されたときには、前述したように、効果音としては電子音を含めて３個までとしたので、入れ替え可能な効果音として２個の「ＳＯＵＮＤ０１」と「ＳＯＵＮＤ０２」だけが表示される。一方、記憶媒体として「メモリーカード」が選択されたときには、記憶媒体５３に記憶されている複数の効果音のファイル名が表示される。
【００３０】
こうした図８や図９に例示した操作画面では、４方向ボタン３２を上下方向に操作することにより対象となっている効果音（反転表示されている効果音）を変更することができる。そして、最上部の効果音が対象となっている状態で４方向ボタン３２を上方向に操作すると、図７に例示した設定画面を表示している状態に戻る。また、４方向ボタン３２を左右方向に操作すると、操作毎に図８に例示した「カメラ本体」が選択されている操作画面と図９に例示した「メモリーカード」が選択されている操作画面とを交互に変更する。メニューボタン３５を操作すると、対象となっている効果音をスピーカ２８から出力する（ステップＳ２５０）。Ａボタン３６を操作すると、対象となっている効果音のファイルを記憶媒体から削除する（ステップＳ２６０）。また、Ｂボタン３７を操作すると、対象となっている効果音のファイルを選択されていない記憶媒体にコピーする。例えば図８の「カメラ本体」の状態でＢボタン３７が操作されたときには、フラッシュメモリ４０ｄに記憶されている「ＳＯＵＮＤ０２」が記憶媒体５３にコピーされ、逆に図９の「メモリーカード」の状態でＢボタン３７が操作されたときには、記憶媒体５３に記憶されている「ＭＣＳＯＵＮＤ０３」がフラッシュメモリ４０ｄにコピーされる。
【００３１】
したがって、フラッシュメモリ４０ｄに２個の効果音しか記憶できなくても、必要に応じてフラッシュメモリ４０ｄに記憶されている効果音を削除すると共に記憶媒体５３に記憶されている効果音をフラッシュメモリ４０ｄにコピーすることにより、所望の効果音をフラッシュメモリ４０ｄに記憶させることができる。効果音の設定は、図４の効果音設定処理に示すように、フラッシュメモリ４０ｄに記憶している効果音からしか設定できないが、フラッシュメモリ４０ｄに記憶している効果音を変更することにより、所望の効果音を設定することができる。
【００３２】
次に、シャッターボタン２４が操作されたときの処理について説明する。シャッターボタン２４を半分だけ押した状態、即ち、いわゆるハーフシャッターの状態では、フォーカスロックがなされると、設定したフォーカスロック音がスピーカ２８から出力される。シャッターボタン２４が完全に押されたときには、図１０に例示する撮影処理が実行される。この撮影処理では、まず、シャッター音として設定された効果音を出力し（ステップＳ３００）、所定時間Ｔｓｈが経過するのを待って（ステップＳ３１０）、撮影を実行し（ステップＳ３２０）、処理を終了する。ここで、所定時間Ｔｓｈは、実施例では０．２秒として設定した。即ち、シャッター音として設定された効果音の出力が終了してから０．２秒経過したときに撮影するのである。このように、撮影のタイミングを設定することにより、操作者はいつが撮影のタイミングになるのかを判断する必要がない。また、こうした処理に適したシャッター音を選択することができる。ここで、効果音の出力は、フラッシュメモリ４０ｄの所定領域に設定値として記憶されたシャッター音に対する値を読み込んで対応する効果音を特定し、その効果音をフラッシュメモリ４０ｄから読み込んでスピーカ２８から出力することにより行なうことができる。また、撮影の実行は、センサコントローラ４４を介してイメージセンサ４３を制御することにより行なうことができる。なお、これらの処理は、本発明の中核をなさないので、これ以上の詳細な説明は省略する。
【００３３】
次に、セルフタイマーにより撮影する際の処理について説明する。図１１は、タイマー撮影処理の一例を示すフローチャートである。セルフタイマーの設定は、モードダイヤル２３によりデジタルカメラ２０を撮影モードとし、メニューボタン３５を操作して液晶ディスプレイ３１に表示されるメニュー項目からセルフタイマーを選択することにより行なうことができる。タイマー撮影処理では、まずセルフタイマーの時間（タイマー時間）Ｔｔｍを設定する（ステップＳ４００）。実施例では、セルフタイマーとしてシャッターボタン２４を操作してから２秒後に撮影するモード２とシャッターボタン２４を操作してから１０秒後に撮影するモード１０とが選択できるようになっており、いずれのモードを選択するかによってタイマー時間Ｔｔｍが設定される。次に、セルフタイマー音として設定された効果音の出力時間（効果音時間）Ｔｅｆを計算し（ステップＳ４１０）、計算した効果音時間Ｔｅｆとタイマー時間Ｔｔｍとを比較する（ステップＳ４２０）。効果音時間Ｔｅｆと所定時間Ｔｓｈとの和がタイマー時間Ｔｔｍ以下のときには、タイマー時間Ｔｔｍから効果音時間Ｔｅｆと所定時間Ｔｓｈとを減じて効果音の開始時間Ｔｓｔを設定する（ステップＳ４３０）。ここで、開始時間Ｔｓｔは、シャッターボタン２４が操作されてから効果音の出力を開始するまでの時間として設定されるものである。即ち、実施例では、シャッターボタン２４が操作されてから、開始時間Ｔｓｔが経過したときに効果音の出力を開始すれば、効果音の出力を終了してから所定時間Ｔｓｈだけ経過したときに撮影が実行されることになる。一方、効果音時間Ｔｅｆと所定時間Ｔｓｈとの和がタイマー時間Ｔｔｍより長いときには、タイマー時間Ｔｔｍを効果音時間Ｔｅｆと所定時間Ｔｓｈとの和の時間に修正し（ステップＳ４４０）、開始時間Ｔｓｔに値０を設定する（ステップＳ４５０）。このように、タイマー時間Ｔｔｍを修正することにより、効果音を出力できるようにするのである。
【００３４】
こうして開始時間Ｔｓｔを設定すると、シャッターボタン２４が操作されるのを待って（ステップＳ４６０）、シャッターボタン２４が操作されると、シャッターボタン２４が操作されてから開始時間Ｔｓｔが経過するのを待ち（ステップＳ４７０）、開始時間Ｔｓｔが経過したときにセルフタイマー音として設定された効果音をスピーカ２８から出力し（ステップＳ４９０）、効果音の出力が終了してから所定時間Ｔｓｈを経過するのを待って（ステップＳ４９０）、撮影を実行し（ステップＳ５００）、タイマー撮影処理を終了する。
【００３５】
以上説明した実施例のデジタルカメラ２０によれば、シャッター音やフォーカスロック音，セルフタイマー音などのシャッターボタン２４の操作に伴う効果音を記憶媒体５３からフラッシュメモリ４０ｄにコピーして選択することができる。この結果、ファイル化した所望の効果音をシャッター音やフォーカスロック音，セルフタイマー音などに設定することができる。即ち、シャッター音やフォーカスロック音，セルフタイマー音に設定することができる効果音の選択の自由度を高くすることができる。しかも、撮影時やセルフタイマー撮影時には効果音の出力の後に所定時間Ｔｓｈだけ経過したときに撮影を実行するから、撮影のタイミングを間違えるなどといった不都合を回避することができる。
【００３６】
また、実施例のデジタルカメラ２０によれば、セルフタイマー撮影時に効果音時間Ｔｅｆと所定時間Ｔｓｈとの和がタイマー時間Ｔｔｍより長いときにはタイマー時間Ｔｔｍを効果音時間Ｔｅｆと所定時間Ｔｓｈとの和の時間に修正するから、効果音時間Ｔｅｆの長い効果音でもセルフタイマー撮影時に効果音をすべて出力することができる。
【００３７】
ここで、実施例のデジタルカメラ２０では、センサコントローラ４４や光学系４２，イメージセンサ４３，ＡＦＥ部４５，デジタル画像処理部４６，圧縮伸張部４７，ＣＰＵ４０ａ，ワークメモリ４０ｃが撮影実行手段に相当し、スピーカ２８が音声出力手段に相当し、記憶媒体５３やフラッシュメモリ４０ｄが効果音情報記憶手段に相当し、図４の効果音設定処理を実行するＣＰＵ４０ａが効果音情報設定手段に相当し、図１０の撮影処理や図１１のタイマー撮影処理を実行するＣＰＵ４０ａが撮影制御手段に相当する。また、図１１のタイマー撮影処理のステップＳ４００の処理を実行しているＣＰＵ４０ａがタイマー設定手段に相当する。
【００３８】
実施例のデジタルカメラ２０では、デジタルカメラ２０のフラッシュメモリ４０ｄに記憶できる効果音としては項目（シャッター音，フォーカスロック音，セルフタイマー音）毎に電子音を含めて３個までとしたが、これらの数に限定されるものではなく、幾つ記憶できるものとしても差し支えない。
【００３９】
また、実施例のデジタルカメラ２０では、シャッターボタン２４の操作に伴って出力するシャッター音やフォーカスロック音，セルフタイマー音などの効果音の設定はフラッシュメモリ４０ｄに記憶されている効果音から行ない、記憶媒体５３に記憶されている効果音については一旦フラッシュメモリ４０ｄにコピーしてから行なうものとしたが、記憶媒体５３に記憶されている効果音についてもフラッシュメモリ４０ｄにコピーすることなく直接設定することができるものとしてもよい。
【００４０】
実施例のデジタルカメラ２０では、通常の撮影時もセルフタイマー撮影時も効果音の出力の後に所定時間Ｔｓｈだけ経過してから撮影を実行するものとしたが、通常の撮影時には所定時間Ｔｓｈの経過を待たずに撮影を実行するものとしてもよく、あるいは、通常の撮影時には効果音を出力している最中に撮影を実行するものとしてもよい。
【００４１】
実施例のデジタルカメラ２０では、セルフタイマー撮影時に効果音時間Ｔｅｆと所定時間Ｔｓｈとの和がタイマー時間Ｔｔｍより長いときには、タイマー時間Ｔｔｍを効果音時間Ｔｅｆと所定時間Ｔｓｈとの和の時間に修正するものとしたが、タイマー時間Ｔｔｍを修正しないものとしてもよい。この場合、効果音を途中で終了し、所定時間Ｔｓｈの無声音の時間の経過を待って撮影するものとしてもよいし、効果音を途中から出力して終了し、所定時間Ｔｓｈの無声音の時間の経過を待って撮影するものとしてもよい。
【００４２】
実施例のデジタルカメラ２０では、シャッター音やフォーカスロック音，セルフタイマー音などの効果音の設定はフラッシュメモリ４０ｄに記憶されている効果音や記憶媒体５３に記憶されている効果音について行なうものとしたが、デジタルカメラ２０に取り付けられているマイク２７を用いて録音してフラッシュメモリ４０ｄにファイルとして記憶したものを効果音として設定するものとしてもよい。
【００４３】
実施例のデジタルカメラ２０では、セルフタイマー撮影時には、シャッターボタン２４が操作されてから開始時間Ｔｓｔが経過したときに効果音を出力し、効果音の出力が終了してから所定時間Ｔｓｈ経過するのを待って撮影を実行したが、開始時間Ｔｓｔの無声音とセルフタイマー音として選択された効果音とからなる調整効果音を作成し、シャッターボタン２４が操作されたときには調整効果音を用いて通常の撮影時と同一の処理（図１０の撮影処理）を実行するものとしてもよい。この場合、効果音時間Ｔｅｆと所定時間Ｔｓｈとの和がタイマー時間Ｔｔｍより長いときには、セルフタイマー音として選択された効果音をそのまま調整効果音として用いればよい。こうすれば、セルフタイマー撮影時の時間管理を行なうことなく通常の撮影時と同様に処理することができる。
【００４４】
実施例では、所定のボタンとしての４方向ボタン３２の上下左右の操作に対してメニュー項目を割り当てて割当ファイルとして記憶媒体５３に格納する発明内容をデジタルカメラに適用するものとしたが、着脱可能に記憶媒体が装着されるカメラであればフィルムカメラに適用するものとしても構わない。
【００４５】
実施例では、所定のボタンとしての４方向ボタン３２の上下左右の操作に対してメニュー項目を割り当てて割当ファイルとして記憶媒体５３に格納する発明内容をデジタルカメラ２０として説明したが、デジタルカメラ２０における処理方法の形態としたり、デジタルカメラ２０にインストールされて用いられるプログラムの形態としてもよい。プログラムの形態とする場合、図４に例示した割当設定処理や図９に例示した割当入力処理の各ステップの処理を各手順として適当なプログラミング言語を用いてプログラムすればよい。
【００４６】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００４７】
本発明は、撮影装置の製造産業等に利用可能である。
【図面の簡単な説明】
【００４８】
【図１】実施例のデジタルカメラ２０の外観を例示する斜視図。
【図２】実施例のデジタルカメラ２０の背面を例示する背面図。
【図３】実施例のデジタルカメラ２０の機能ブロックを例示するブロック図。
【図４】効果音設定処理の一例を示すフローチャート。
【図５】セットアップ画面の一例を表示した際の背面３０の一部を示す説明図。
【図６】設定処理の一例を示すフローチャート。
【図７】設定画面の一例を表示した際の背面３０の一部を示す説明図。
【図８】操作画面の一例を表示した際の背面３０の一部を示す説明図。
【図９】操作画面の一例を表示した際の背面３０の一部を示す説明図。
【図１０】撮影処理の一例を示すフローチャート。
【図１１】タイマー撮影処理の一例を示すフローチャート。
【符号の説明】
【００４９】
２０  デジタルカメラ、２１  ズーム機構付きレンズ、２２  電源ボタン、２３  モードダイヤル、２４  シャッターボタン、２５  タイマランプ、３０  背面、３１  液晶ディスプレイ、３１  液晶ディスプレイ、３２  ４方向ボタン、３３  印刷ボタン、３４ａ  Ｗボタン、３４ｂ  Ｔボタン、３５  メニューボタン、３６  Ａボタン、３７  Ｂボタン、３８  ディスプレーボタン、３９  レビューボタン、４０ａ  ＣＰＵ、４０ｂ  ＲＯＭ、４０ｃ  ワークメモリ、４０ｄ  フラッシュメモリ、４２  光学系、４３  イメージセンサ、４４  センサコントローラ、４５  アナログフロントエンド（ＡＦＥ）部、４６  デジタル画像処理部、４７  圧縮伸張部、５０  ディスプレイコントローラ、５２  入出力インタフェース、５３  記憶媒体、５４  ＵＳＢホストコントローラ、５５  ＵＳＢ接続端子。５６  ＵＳＢデバイスコントローラ、５７  マイク、５８  スピーカ。
【図１】
2005086508.tif 000003
【図２】
2005086508.tif 000004
【図３】
2005086508.tif 000005
【図４】
2005086508.tif 000006
【図５】
2005086508.tif 000007
【図６】
2005086508.tif 000008
【図７】
2005086508.tif 000009
【図８】
2005086508.tif 000010
【図９】
2005086508.tif 000011
【図１０】
2005086508.tif 000012
【図１１】
2005086508.tif 000013